【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
エクササイズ装置であって、
フレームと、
前記フレームに移動可能に連結した第１部材であり、異なる利用可能な第１複数経路から選択した第１経路を移動するよう動き、また利用者が前記第１部材に加える力に応答して、異なる利用可能な前記第１複数経路間で切り替わる、該第１部材と、
ディスプレイと、
制御信号を生成するよう構成したコントローラであり、前記制御信号により、前記ディスプレイに対して少なくとも１個の視認可能なトレースを同時に提示させ、前記少なくとも１個の視認可能なトレースそれぞれは、前記第１部材がとる、前記異なる利用可能な複数経路のうち少なくとも１つに基づく、該コントローラと、
を備える、エクササイズ装置。
【請求項２】
請求項１に記載の装置において、前記少なくとも１個の視認可能なトレースにおける個別トレースは、表示されている前記個別トレースにおける時間経過に基づいて色が変化する構成とした、エクササイズ装置。
【請求項３】
請求項１に記載の装置において、前記少なくとも１個の視認可能なトレースにおける個別トレースは色を有し、この色は、前記第１部材がとる前記経路の移動中における前記第１部材の動きに対して加える負荷レベルに基づき、また前記個別トレースは、前記第１部材の前記経路に基づく構成とした、エクササイズ装置。
【請求項４】
請求項１に記載の装置において、提示される前記少なくとも１個の視認可能なトレースは異なる色を有し、これら異なる色のそれぞれは、前記第１部材がとる前記経路の移動中における前記第１部材の動きに対して加える異なる前記負荷レベルに基づき、また関連する構成とした、エクササイズ装置。
【請求項５】
請求項１に記載の装置において、提示される前記少なくとも１個の視認可能なトレースは異なる色を有し、これら異なる色は、前記経路の移動中における前記第１部材の異なる速度に基づき、また関連する構成とした、エクササイズ装置。
【請求項６】
請求項１に記載の装置において、提示される前記少なくとも１個の視認可能なトレースは複数個の部分を有し、同時に提示される複数個の視認可能なトレースにおける各部分は、前記第１部材の経路における一部分に対応すると共に異なる色を有し、これら異なる色それぞれは、前記経路における前記一部分の移動中における前記第１部材の速度に基づき、また関連する構成とした、エクササイズ装置。
【請求項７】
請求項１に記載の装置において、視認可能なトレースは幅を有し、この幅は、前記関連する前記経路を完了した回数に基づく構成とした、エクササイズ装置。
【請求項８】
請求項１に記載の装置において、前記少なくとも１個の視認可能なトレースにおける個別トレースは幅を有し、この幅は、前記第１部材がとる前記経路の移動中における前記第１部材の動きに対して加える前記負荷レベルに基づき、また前記個別トレースは、前記第１部材の前記経路に基づく構成とした、エクササイズ装置。
【請求項９】
請求項１に記載の装置において、提示される前記少なくとも１個の視認可能なトレースは異なる幅を有し、これら異なる幅は、前記第１部材がとる前記経路の移動中前記第１部材の動きに対して加える異なる前記負荷レベルに基づき、また関連する構成とした、エクササイズ装置。
【請求項１０】
請求項１に記載の装置において、提示される前記少なくとも１個の視認可能なトレースは異なる幅を有し、これら異なる幅は、前記経路の移動中における前記第１部材の異なる速度に基づき、また関連する構成とした、エクササイズ装置。
【請求項１１】
請求項１に記載の装置において、前記少なくとも１個の視認可能なトレースはそれぞれ異なる図形パターンを有し、これら異なる図形パターンのそれぞれは、前記経路の移動中における前記第１部材の動きに対する負荷レベル、前記経路の移動中における前記第１部材の速度、及び前記経路の反復回数からなる群から選択した前記経路の特徴に基づく構成とした、エクササイズ装置。
【請求項１２】
請求項１に記載の装置において、前記少なくとも１個の視認可能なトレースは、前記第１部材の前記経路に整合するラインとした、エクササイズ装置。
【請求項１３】
請求項１に記載の装置において、前記少なくとも１個の視認可能なトレースのそれぞれはラインとし、このラインは、前記経路における前記第１部材の水平方向変位に比例する水平方向寸法、前記経路における前記第１部材の垂直方向変位に比例する垂直方向寸法、及び前記第１部材における前記経路の方向性に基づく角度を有する構成とした、エクササイズ装置。
【請求項１４】
請求項１に記載の装置において、さらに、ユーザーにより作動可能なアクチュエータを備え、該アクチュエータは、すでに提示されている既存の視認可能なトレースに対しての、視認可能なトレースの追加を実行又は中断するよう構成した、エクササイズ装置。
【請求項１５】
請求項１４に記載の装置において、ユーザーにより作動可能な前記アクチュエータは押し下げ可能とし、前記アクチュエータが押し下げられている間だけ、すでに提示されている既存の視認可能なトレースに対しての、視認可能なトレースの追加を実行又は中断するよう構成した、エクササイズ装置。
【請求項１６】
請求項１４に記載の装置において、前記アクチュエータの作動により、すでに提示されている既存の視認可能なトレースに対しての、視認可能なトレースの追加を実行する構成とした、エクササイズ装置。
【請求項１７】
請求項１４に記載の装置において、前記アクチュエータの作動により、すでに提示されている既存の視認可能なトレースに対しての、視認可能なトレースの追加を中断する構成とした、エクササイズ装置。
【請求項１８】
請求項１に記載の装置において、同時に表示される前記トレースは画像を形成し、また前記コントローラは前記画像を記録するよう構成した、エクササイズ装置。
【請求項１９】
請求項１に記載の装置において、同時に表示される視認可能なトレースは、ユーザーが選択可能な異なる始点を有する構成とした、エクササイズ装置。
【請求項２０】
請求項１に記載の装置において、前記コントローラは、視認可能なトレースが生成される位置を自動的に移動するよう構成した、エクササイズ装置。
【請求項２１】
請求項１に記載の装置において、前記コントローラは、前記ディスプレイに対して、同時に提示される複数個の視認可能なトレースを収容するターゲット形状を提示させる制御信号を生成するよう構成した、エクササイズ装置。
【請求項２２】
請求項２１に記載のエクササイズ装置において、前記コントローラは、前記ターゲット形状を完全に埋める又は消去する時間、前記ターゲット形状の外側にはみ出る前記トレースの精度、前記ターゲット形状の難易度、及び前記トレースのオーバーラップ効率からなる群から選択した１つ以上の因子に基づき、ワークアウトをスコア付けするよう構成した、エクササイズ装置。
【請求項２３】
請求項２２に記載の装置において、前記コントローラは、所定閾値を有する前記ワークアウトにおけるスコアの比較に基づいて難易度を調節するよう構成した、エクササイズ装置。
【請求項２４】
請求項２３に記載の装置において、前記コントローラは、ライン太さの調節、前記ターゲット形状の調節、該トレースによって描写されるトレースとパラメータとの間の比例関係の調節からなる群から選択した１つ以上の調節により、難易度を調節するよう構成した、エクササイズ装置。
【請求項２５】
請求項２１に記載の装置において、前記コントローラは、運動者の身体的特徴に基づき、前記トレースの特徴又は前記ターゲット形状の特徴を調節するよう構成した、エクササイズ装置。